(57)【要約】【課題】浴槽側に配設される給水装置の操作が容易で利便性の良い浴室ユニットを提供する。【解決手段】浴室ユニット１００は、湯を溜める浴槽１と、浴槽１の上縁部１０に配設されており、浴槽１と浴槽１に隣接する浴槽前床５０とを仕切る仕切部４とを備える。仕切部４は、浴槽１の上縁部１０に沿って、または浴槽前床５０側へ可動する扉４０を有する。仕切部４によって仕切られた浴槽１側における扉４０の側方に、浴槽１に湯を供給する給水装置３が配設されている。【選択図】図１
2019103550.tif 000002
【特許請求の範囲】
【請求項１】
湯を溜める浴槽と、
前記浴槽の上縁部に配設されており、前記浴槽と前記浴槽に隣接する浴槽前床とを仕切る仕切部と、を備える浴室ユニットにおいて、
前記仕切部は、前記上縁部に沿って、または前記浴槽前床側へ可動する扉を有し、
前記仕切部によって仕切られた前記浴槽側における前記扉の側方に、前記浴槽に湯を供給する給水装置が配設されていることを特徴とする浴室ユニット。
【請求項２】
前記扉は引違い戸であり、
一方の障子の側方に前記給水装置が配設されていることを特徴とする請求項１に記載の浴室ユニット。
【請求項３】
前記扉は引き戸であることを特徴とする請求項１に記載の浴室ユニット。
【発明の詳細な説明】
【技術分野】
【０００１】
本発明は、浴室ユニットに関する。
【背景技術】
【０００２】
浴室ユニットは、湯を溜める浴槽と、浴槽に隣接して配設された浴槽前床を有する。浴室ユニットは、周囲を壁パネル、上方を天井パネルで覆われている。浴室ユニット内の空間には、浴槽のほか、洗面台やトイレが設けられることもあり、ユーザがより快適に浴室ユニットを利用するための工夫がなされている。
【０００３】
例えば、特許文献１には、浴槽と浴槽前床とを隔てる仕切部を設けた浴室ユニットが開示されている。仕切部は、固定仕切りと、引き戸である扉を有する。浴槽側で使用されるシャワー装置等の給水装置が、仕切部における固定仕切りが設けられた側に配設されている。
【先行技術文献】
【特許文献】
【０００４】
【特許文献１】特開平０４−２５０２７０号公報
【発明の概要】
【発明が解決しようとする課題】
【０００５】
特許文献１に記載の浴室ユニットは、給水装置が、仕切部における固定仕切りが設けられた側に配設されているため、浴槽前床側から扉を開けて給水装置を操作する際に手が届き難く、浴槽を洗い、浴槽に湯を溜める行為がしづらいという問題点があった。
【０００６】
本発明は、斯かる事情に鑑みてなされたものであり、その目的とするところは、浴槽側に配設される給水装置の操作が容易で利便性の良い浴室ユニットを提供することにある。
【課題を解決するための手段】
【０００７】
本発明に係る浴室ユニットは、湯を溜める浴槽と、前記浴槽の上縁部に配設されており、前記浴槽と前記浴槽に隣接する浴槽前床とを仕切る仕切部と、を備える浴室ユニットにおいて、前記仕切部は、前記上縁部に沿って、または前記浴槽前床側へ可動する扉を有し、前記仕切部によって仕切られた前記浴槽側における前記扉の側方に、前記浴槽に湯を供給する給水装置が配設されていることを特徴とする。
【発明の効果】
【０００８】
本発明によれば、浴槽側に配設される給水装置の操作が容易で利便性が良い。
【図面の簡単な説明】
【０００９】
【図１】本発明の実施形態１に係る浴室ユニットの外観を示す斜視図である。
【図２】本発明の実施形態１に係る浴室ユニットの縦断面図である。
【図３】図２のＡ−Ａ線による断面図である。
【図４】実施形態２に係る浴室ユニットにおける図２のＡ−Ａ線による断面に相当する断面図である。
【図５】変形例に係る浴室ユニットにおける図２のＡ−Ａ線による断面に相当する断面図である。
【図６】別の変形例に係る浴室ユニットにおける図２のＡ−Ａ線による断面に相当する断面図である。
【発明を実施するための形態】
【００１０】
以下、本発明を好適な実施の形態をもとに図１から図６を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
（実施形態１）
図１は本発明の実施形態１に係る浴室ユニット１００の外観を示す斜視図、図２は本発明の実施形態１に係る浴室ユニット１００の縦断面図、図３は図２のＡ−Ａ線による断面図である。尚、図１においては浴室ユニット１００の手前側の壁パネルを省略した。浴室ユニット１００は、浴槽１、シャワー装置２、給水装置３、仕切部４、浴槽前床５０および壁部６０等を有する。浴槽１は、平面視矩形状をなし、湯を溜めることができる深皿状である。浴槽１は、上縁部１０に配設された壁部６０および仕切部４によって周囲が覆われ、上方を天井６１によって覆われている。仕切部４は、浴槽１の上縁部１０の４辺のうち、浴槽１に隣接する浴槽前床５０側の一辺に設けられている。
【００１２】
仕切部４は、引違い戸である扉４０を有しており、浴槽１と浴槽前床５０とは、間仕切りとしての扉４０によって仕切られている。浴室ユニット１００への入り口６２には、引き戸６３が設けられ、入り口６２を開閉することができる。ユーザは、浴槽１において、水を用いて、身体を洗い、シャワーを浴び、浴槽１に湯を溜めて入浴する。これに対し、浴槽前床５０は、ユーザが脱衣や着衣等を行ったり、衣類を乾かしたりするための空間を提供する。
【００１３】
浴槽前床５０には洗面台やトイレ設備などを配置しても良い。浴槽前床５０は、水の受け皿として機能させるものではなく、浴槽前床５０の部分における壁部６０ｃには、収納棚６４などを配置し、衣類やタオルなどを収納する。尚、浴槽前床５０は、水の受け皿となるものではないため、排水口を設ける必要はないが、床面の洗い流しのために排水口を設けてもよい。
【００１４】
浴槽１は、底部１１に排水栓１２、および内側面等にオーバーフロー栓（図示略）を有し、排水栓１２を閉状態にして浴槽１に湯を溜めることができ、排水栓１２を開状態にして浴槽１から湯を抜く。浴槽１の長手方向の一端側における壁部６０ｂには、シャワー装置２および給水装置３が配設されている。
【００１５】
シャワー装置２は、縦ガイドバー２０、シャワーヘッド２１およびフック２２を有する。縦ガイドバー２０は、上下方向を軸方向とする棒状であり、浴室ユニット１００の高さ方向の中途部から天井６１の近傍まで延びる。フック２２は、縦ガイドバー２０の軸方向に摺動可能に取り付けられており、任意の高さ位置で保持することができる。シャワーヘッド２１は、フック２２に着脱自在に掛け止めることができる。シャワーヘッド２１は、ホース２３によって給水装置３に連結されており、給水装置３から湯水が供給される。
【００１６】
給水装置３は、給水本体部３０、吐水具３１、切替水量調節つまみ３２、および温度調節つまみ３３を有する。給水装置３は、壁部６０ｂの裏側に配設された給湯給水管から湯および水が供給される。給水本体部３０は円筒状をなし、壁部６０ｂに平行に設けられている。吐水具３１は、給水本体部３０から浴槽１中央方向へ延び、先端部から湯水を吐出する。尚、シャワーヘッド２１に繋がるホース２３の端部は、給水本体部３０から下方に延びる給水口に接続される。
【００１７】
切替水量調節つまみ３２は、給水本体部３０の一端部に設けられており、吐水具３１またはシャワーヘッド２１のいずれか一方からの吐水を切替え、水量を調節することができる。また、温度調節つまみ３３は、給水本体部３０の他端部に設けられており、吐水具３１およびシャワーヘッド２１から吐出する湯水の温度を調節することができる。
【００１８】
仕切部４の扉４０は、上述のとおり引違い戸であり、内障子４０ａおよび外障子４０ｂを有する。内障子４０ａおよび外障子４０ｂは、例えば、長方形状に組み立てられた框の内側にガラス製または樹脂製等の板体を嵌め込んで構成されている。内障子４０ａおよび外障子４０ｂは、仕切部４において、浴槽１の長手方向の両端部における壁部６０ａおよび６０ｂ、浴槽１の上縁部１０、並びに天井６１に配設された枠体の内側にスライド可能に嵌め込まれている。
【００１９】
内障子４０ａおよび外障子４０ｂは、浴槽１の上縁部１０における浴槽前床５０側の一辺に沿ってスライドして可動する。仕切部４は、内障子４０ａを開状態とすることによって、壁部６０ａから浴槽１の長手方向の中央部付近までが開口し、外障子４０ｂを開状態とすることによって、壁部６０ｂから浴槽１の長手方向の中央部付近までが開口する。シャワー装置２および給水装置３は、仕切部４によって仕切られた浴槽１側における外障子４０ｂの側方に設けられた壁部６０ｂに配設されている。
【００２０】
次に浴室ユニット１００の作用について説明する。上述のとおり、シャワー装置２および給水装置３は、壁部６０ｂに配設されており、外障子４０ｂを開状態とすることによって仕切部４の壁部６０ｂ側が開口するので、浴槽前床５０から手を伸ばして操作することができる。
【００２１】
ユーザは、外障子４０ｂを開状態として、浴槽前床５０側から正面に位置するシャワー装置２および給水装置３にまっすぐに手を伸ばし、シャワー装置２を使って浴槽１に水を浴びせて浴槽１を水洗いし、給水装置３を使って浴槽１に湯を溜めることができる。浴室ユニット１００は、浴槽１側に配設されたシャワー装置２および給水装置３を浴槽前床５０から手を伸ばして容易に操作することができ利便性が良い。
【００２２】
また、仕切部４は、内障子４０ａを開状態することによって、壁部６０ａから浴槽１の長手方向の中央部付近までが開口する。ユーザは、内障子４０ａを開状態として、壁部６０ａ側に形成された開口を通って浴槽前床５０から浴槽１へ出入りすることができる。壁部６０ａ側には、シャワー装置２および給水装置３等が配設されていないので、ユーザが浴槽１へ出入りする際に障害物がなく、移動が容易である。
【００２３】
ユーザは、内障子４０ａおよび外障子４０ｂをともに閉状態として、浴槽１内で、水を浴び、浴槽１に浸かって入浴することができる。内障子４０ａおよび外障子４０ｂは、ともに閉状態としたときに、湯水がかかる部分、例えば内障子４０ａおよび外障子４０ｂの下辺部および両側部が、嵌め込まれる枠体との間で水密に保たれることが好ましい。
【００２４】
（実施形態２）
実施形態１では、仕切部４に設けた扉４０が引違い戸である例を示したが、扉４０は引き戸であってもよい。図４は実施形態２に係る浴室ユニット１００における図２のＡ−Ａ線による断面に相当する断面図である。
【００２５】
実施形態２に係る浴室ユニット１００において、仕切部４は、扉４０として引き戸４０ｃを壁部６０ａ側に、固定仕切板４１を壁部６０ｂ側に有する。引き戸４０ｃは、浴槽１の上縁部１０における浴槽前床５０側の一辺に沿ってスライドするようにして可動し、開状態としたときに、固定仕切板４１の浴槽前床５０側または浴槽１側に納まる。
【００２６】
また実施形態２に係る浴室ユニット１００において、シャワー装置２および給水装置３は、壁部６０ａに配設されている。シャワー装置２および給水装置３は、仕切部４によって仕切られた浴槽１側における引き戸４０ｃの側方に設けられた壁部６０ａに配設されている。
【００２７】
また、給水装置３は、図４に一点鎖線で示すように、浴槽１の上縁部１０において、浴槽１の長手方向における中央部に設けられていてもよい。この場合、給水装置３は、仕切部４によって仕切られた浴槽１側において、引き戸４０ｃの壁部６０ｂと反対側の側方に配設されている。尚、給水装置３は、吐水具、温度調節用および水量調節用のつまみを有し、シャワー装置２にも別系統の温度調節用および水量調節用のつまみを設けるとよい。
【００２８】
次に実施形態２に係る浴室ユニット１００の作用について説明する。上述のとおり、シャワー装置２および給水装置３は、壁部６０ａに配設されており、引き戸４０ｃを開状態とすることによって仕切部４の壁部６０ａ側が開口するので、浴槽前床５０から手を伸ばして操作することができる。
【００２９】
ユーザは、引き戸４０ｃを開状態として浴槽前床５０側から正面に位置するシャワー装置２および給水装置３にまっすぐに手を伸ばし、シャワー装置２を使って浴槽１に水を浴びせて浴槽１を水洗いし、給水装置３を使って浴槽１に湯を溜めることができる。浴室ユニット１００は、浴槽１側に配設されたシャワー装置２および給水装置３を浴槽前床５０から手を伸ばして容易に操作することができ利便性が良い。またユーザは、引き戸４０ｃを開状態として、壁部６０ａ側に形成された開口を通って浴槽前床５０から浴槽１へ出入りすることができる。
【００３０】
引き戸４０ｃの代わりに、浴槽前床５０側に開く開き戸を設けてもよい。開き戸のヒンジ部は、固定仕切板４１側または壁部６０ａ側のいずれにあってもよいが、浴槽前床５０に配設される収納棚や、洗面台、トイレ設備等の配置に応じて、開き戸を開き易いように設けるとよい。
【００３１】
（変形例）
図５は変形例に係る浴室ユニット１００における図２のＡ−Ａ線による断面に相当する断面図である。この変形例に係る浴室ユニット１００は、浴槽１の長手方向の一端部に仕切部４があり、該仕切部４によって浴槽１と浴槽１に隣接する浴槽前床５０が仕切られている。仕切部４には引き戸４０ｃが配設されている。
【００３２】
引き戸４０ｃは、浴槽１の上縁部１０における浴槽前床５０側の一辺に沿ってスライドするようにして可動し、開状態としたときに、図５に一点鎖線で示すように、浴槽１の側方へ移動する。シャワー装置２および給水装置３は、浴槽１の短手方向の一端側における壁部６０ｂに配設されている。
【００３３】
シャワー装置２および給水装置３は、仕切部４によって仕切られた浴槽１側における引き戸４０ｃの側方に設けられた壁部６０ｂに配設されている。浴室ユニット１００は、浴槽１側に配設されたシャワー装置２および給水装置３を、引き戸４０ｃを開状態とすることによって、浴槽前床５０側から正面に見ながら、まっすぐに手を伸ばして容易に操作することができ利便性がよい。尚、シャワー装置２および給水装置３は、壁部６０ｂに対向する、浴槽１の短手方向の他端側における壁部６０ａに配設されていてもよい。
【００３４】
図６は別の変形例に係る浴室ユニット１００における図２のＡ−Ａ線による断面に相当する断面図である。この変形例に係る浴室ユニット１００は、浴槽１の長手方向の一端部に仕切部４があり、該仕切部４によって浴槽１と浴槽１に隣接する浴槽前床５０が仕切られている。仕切部４には、浴槽前床５０側へ開く開き戸４０ｄが配設されている。
【００３５】
シャワー装置２および給水装置３は、浴槽１の短手方向の一端側における壁部６０ｂに配設されている。シャワー装置２および給水装置３は、仕切部４によって仕切られた浴槽１側における開き戸４０ｄの側方に設けられた壁部６０ｂに配設されている。
【００３６】
浴室ユニット１００は、浴槽１側に配設されたシャワー装置２および給水装置３を、開き戸４０ｄを開状態とすることによって、浴槽前床５０側から正面に見ながら、まっすぐに手を伸ばして容易に操作することができ利便性がよい。尚、シャワー装置２および給水装置３は、壁部６０ｂに対向する、浴槽１の短手方向の他端側における壁部６０ａに配設されていてもよい。
【００３７】
上述の実施形態および変形例において、給水装置３は、壁部６０ａまたは壁部６０ｂに配設される例を示した。給水装置３は、壁部６０ａまたは壁部６０ｂに連なる、浴槽１の長手方向の端部における上縁部１０に設けられていてもよい。また、仕切部４は、扉４０を有するとともに、浴槽１の浴槽前床５０側の一辺において、壁部６０ａまたは壁部６０ｂから扉４０の前記一辺における端部まで延びる固定仕切板を有し、該固定仕切板の裏側にシャワー装置２や給水装置３を配設するようにしてもよい。この場合、扉４０は、壁部６０ａまたは壁部６０ｂから該固定仕切板の分だけオフセットした位置に配設されている。給水装置３は、前記固定仕切板に配設されるほか、固定仕切板に連なる、浴槽１の上縁部１０に設けられていてもよい。このような場合も、シャワー装置２や給水装置３は、浴槽１側における扉４０の側方に配設されているものとなり、浴槽前床５０側から手を伸ばして容易に操作することができ利便性がよい。
【００３８】
次に、実施形態および変形例に係る浴室ユニット１００の特徴を説明する。
本発明の実施形態１の浴室ユニット１００は、湯を溜める浴槽１と、浴槽１の上縁部１０に配設されており、浴槽１と浴槽１に隣接する浴槽前床５０とを仕切る仕切部４とを備える。仕切部４は、浴槽１の上縁部１０に沿って、または浴槽前床５０側へ可動する扉４０を有する。仕切部４によって仕切られた浴槽１側における扉４０の側方に、浴槽１に湯を供給する給水装置３が配設されている。これにより、浴室ユニット１００は、浴槽１側に配設される給水装置３の操作が容易で利便性が良い。
【００３９】
また扉４０は引違い戸であり、内障子４０ａおよび外障子４０ｂのうち、一方の障子の側方に給水装置３が配設されている。これにより、浴室ユニット１００は、浴槽１側に配設される給水装置３の操作が容易で利便性が良く、また他方の障子を開けてユーザが浴槽１へ出入りする際に障害物がなく移動が容易である。
【００４０】
また扉４０は引き戸であってもよい。これにより、浴室ユニット１００は、引き戸である扉４０の側方に給水装置３が配設されているので、給水装置３の操作が容易で利便性が良い。
【００４１】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４２】
１  浴槽、  １０  上縁部、  ３  給水装置、  ４  仕切部、  ４０  扉、
４０ａ  内障子（障子）、  ４０ｂ  外障子（障子）、  ５０  浴槽前床、
１００  浴室ユニット。
【図１】
2019103550.tif 000003
【図２】
2019103550.tif 000004
【図３】
2019103550.tif 000005
【図４】
2019103550.tif 000006
【図５】
2019103550.tif 000007
【図６】
2019103550.tif 000008